(57)【要約】【課題】拭き取り部材の移動する距離を短縮化する。【解決手段】ノズルを備え、該ノズルから流体を噴射するヘッドと、該ヘッドのノズル面に付着した前記流体を拭き取るための拭き取り部材と、前記流体を拭き取った前記拭き取り部材を清掃するための清掃部材と、前記拭き取り部材の向きを、前記ノズル面を拭き取るときの向きから変更させることにより、前記拭き取り部材を前記清掃部材に接触させて、該清掃部材に前記拭き取り部材を清掃させるための向き変更機構と、を有することを特徴とする。【選択図】図１０
2010012722.tif 000002
【特許請求の範囲】
【請求項１】
ノズルを備え、該ノズルから流体を噴射するヘッドと、
該ヘッドのノズル面に付着した前記流体を拭き取るための拭き取り部材と、
前記流体を拭き取った前記拭き取り部材を清掃するための清掃部材と、
前記拭き取り部材の向きを、前記ノズル面を拭き取るときの向きから変更させることにより、前記拭き取り部材を前記清掃部材に接触させて、該清掃部材に前記拭き取り部材を清掃させるための向き変更機構と、
を有することを特徴とする流体噴射装置。
【請求項２】
請求項１に記載の流体噴射装置であって、
前記拭き取り部材は、
前記ノズル面に接触した状態で、
該ノズル面上の接触位置を変えながら移動することにより該ノズル面に付着した前記液体を拭き取ることを特徴とする流体噴射装置。
【請求項３】
請求項１又は請求項２に記載の流体噴射装置において、
前記清掃部材は、回動可能なローラであり、
前記拭き取り部材が前記清掃部材に接触した際に発生する前記拭き取り部材の前記清掃部材に対する押圧力により、前記清掃部材が回動することを特徴とする流体噴射装置。
【請求項４】
請求項１又は請求項２に記載の流体噴射装置において、
前記清掃部材は、弾性部材又はばね部材により支持されており、
前記拭き取り部材が前記清掃部材に接触した際に発生する前記拭き取り部材の前記清掃部材に対する押圧力により、前記弾性部材又はばね部材が変形して前記清掃部材が移動することを特徴とする流体噴射装置。
【請求項５】
ノズルから流体を噴射するヘッドのノズル面に付着した前記流体を拭き取り部材に拭き取らせるステップと、
前記ノズル面を拭き取った前記拭き取り部材の向きを、前記ノズル面を拭き取るときの向きから変更させることにより、前記拭き取り部材を清掃部材に接触させて、該清掃部材に前記拭き取り部材を清掃させるステップと、
を有することを特徴とする拭き取り部材清掃方法。
【発明の詳細な説明】
【技術分野】
【０００１】
本発明は、流体噴射装置、及び、拭き取り部材清掃方法に関する。
【背景技術】
【０００２】
流体噴射装置の例として、紙や布、フィルムなどの各種媒体に流体を噴射して、画像の印刷を行うインクジェットプリンタが知られている。このプリンタにおいては、流体を噴射すると、ヘッドのノズル面に増粘した流体が付着するので、該流体を拭き取る拭き取り部材が、設けられている。この拭き取り部材は、ノズル面の方を向いており、ノズル面に付着した流体を拭き取ることによって、増粘した流体をノズル面から除去している。
【０００３】
拭き取り部材がノズル面に付着した流体を拭き取ると、流体が拭き取り部材に付着する。拭き取り部材に流体が付着したまま放置されると、次回に拭き取り部材がノズル面に付着した流体を拭き取る際に、拭き取り部材に付着した流体がノズルに再度付着することが起き、ノズルに付着した流体の拭き取りが不安定となる。そこで、拭き取り部材に付着した流体を清掃する清掃部材が設けられており、ノズル面に付着した流体を拭き取った拭き取り部材が清掃部材に接触し、清掃部材が、拭き取り部材に付着した流体の清掃を行っている。
【特許文献１】特開２０００−３４３７１５号公報
【発明の開示】
【発明が解決しようとする課題】
【０００４】
上記インクジェットプリンタにおいて、ノズル面に付着した流体を拭き取った拭き取り部材を清掃するために、拭き取り部材を移動させる場合があり、その場合、移動距離が長いという問題があった。したがって、拭き取り部材の移動距離を短縮するための方策が要請されていた。
【０００５】
本発明は係る課題に対して鑑みてなされたものであり、目的とするところは拭き取り部材の移動距離を短縮することにある。
【課題を解決するための手段】
【０００６】
主たる発明は、ノズルを備え、該ノズルから流体を噴射するヘッドと、該ヘッドのノズル面に付着した前記流体を拭き取るための拭き取り部材と、前記流体を拭き取った前記拭き取り部材を清掃するための清掃部材と、前記拭き取り部材の向きを、前記ノズル面を拭き取るときの向きから変更させることにより、前記拭き取り部材を前記清掃部材に接触させて、該清掃部材に前記拭き取り部材を清掃させるための向き変更機構と、を有することを特徴とする流体噴射装置である。
【０００７】
本発明の他の特徴については、本明細書及び添付図面の記載により明らかにする。
【発明を実施するための最良の形態】
【０００８】
本明細書及び添付図面の記載により、少なくとも次のことが明らかにされる。  
ノズルを備え、該ノズルから流体を噴射するヘッドと、該ヘッドのノズル面に付着した前記流体を拭き取るための拭き取り部材と、前記流体を拭き取った前記拭き取り部材を清掃するための清掃部材と、前記拭き取り部材の向きを、前記ノズル面を拭き取るときの向きから変更させることにより、前記拭き取り部材を前記清掃部材に接触させて、該清掃部材に前記拭き取り部材を清掃させるための向き変更機構と、を有することを特徴とする流体噴射装置。  
かかる流体噴射装置によれば、拭き取り部材の移動距離を短縮することが可能になる。
【０００９】
また、かかる流体噴射装置であって、前記拭き取り部材は、前記ノズル面に接触した状態で、該ノズル面上の接触位置を変えながら移動することにより該ノズル面に付着した前記液体を拭き取ることとしてもよい。
【００１０】
また、前記清掃部材は、回動可能なローラであり、前記拭き取り部材が前記清掃部材に接触した際に発生する前記拭き取り部材の前記清掃部材に対する押圧力により、前記清掃部材が回動することとしてもよい。  
かかる場合には、当清掃部材が回動することで清掃する位置が変更することと、当拭き取り部材の前記清掃部材に対する押圧力を当清掃部材が回動して逃がすことで、前記拭き取り部材の耐久を保つことができる点で望ましい。
【００１１】
また、前記清掃部材は、弾性部材又はばね部材により支持されており、
前記拭き取り部材が前記清掃部材に接触した際に発生する前記拭き取り部材の前記清掃部材に対する押圧力により、前記弾性部材又はばね部材が変形して前記清掃部材が移動することとしてもよい。  
かかる場合には、当拭き取り部材の当清掃部材に対する押圧力を当弾性部材又は当ばね部材が吸収することで、前記拭き取り部材の耐久を保つことができる点で望ましい。
【００１２】
また、ノズルから流体を噴射するヘッドのノズル面に付着した前記流体を拭き取り部材に拭き取らせるステップと、前記ノズル面を拭き取った前記拭き取り部材の向きを、前記ノズル面を拭き取るときの向きから変更させることにより、前記拭き取り部材を清掃部材に接触させて、該清掃部材に前記拭き取り部材を清掃させるステップと、を有することを特徴とする拭き取り部材清掃方法。  
かかる拭き取り部材清掃方法によれば、拭き取り部材がノズル面を拭き取った後、移動することなく清掃部材により清掃されることが可能となる。
【００１３】
＝＝＝インクジェットプリンタについて＝＝＝
流体噴射装置の一例としてインクジェットプリンタ（以下、プリンタ１と呼ぶ）を例に挙げて、実施形態を説明する。尚、インクは流体に相当する。
【００１４】
図１は、本実施形態のプリンタ１のブロック図である。図２Ａは、プリンタ１の斜視図の一部であり、図２Ｂは、プリンタ１の断面図の一部である。外部装置であるコンピュータ１１０から印刷データを受信したプリンタ１は、コントローラ１０により、各ユニット（搬送ユニット２０、キャリッジユニット３０、ヘッドユニット４０、クリーニングユニット５０）を制御し、用紙Ｓ（媒体）に画像を形成する。また、プリンタ１内の状況を検出器群７０が監視し、その検出結果に基づいて、コントローラ１０は各ユニットを制御する。
【００１５】
コントローラ１０は、プリンタ１の制御を行うための制御ユニットである。インターフェース部１１は、外部装置であるコンピュータ１１０とプリンタ１の間でデータの送受信を行うためのものである。ＣＰＵ１２は、プリンタ１全体の制御を行うための演算処理装置である。メモリ１３は、ＣＰＵ１２のプログラムを格納する領域や作業領域等を確保するためのものである。ＣＰＵ１２は、ユニット制御回路１４により各ユニットを制御する。
【００１６】
搬送ユニット２０は、用紙Ｓを印刷可能な位置に送り込んだ後、印刷時に搬送方向に所定の搬送量で用紙Ｓを搬送させるためのものである。給紙ローラ２１を回転させ、印刷すべき用紙Ｓを搬送ローラ２２まで送る。用紙Ｓが印刷開始位置に位置決めされたとき、ヘッド４１の少なくとも一部のノズルは、用紙Ｓと対向している。印刷が終了した用紙Ｓは、排紙ローラ２３により排紙される。
【００１７】
キャリッジユニット３０は、ヘッドを所定の方向（以下、移動方向という）に移動（「走査」とも呼ばれる）させるためのものである。キャリッジユニット３０は、キャリッジ３１と、キャリッジモータ３２（ＣＲモータともいう）と、を有する。キャリッジ３１は、移動方向に往復移動可能であり、キャリッジモータ３２によって駆動される。また、キャリッジ３１は、インクを収容するインクカートリッジを着脱可能に保持している。
【００１８】
ヘッドユニット４０は、用紙Ｓにインクを噴射するためのものである。ヘッドユニット４０は、インクを噴射する複数のノズル４２が形成されたヘッド４１を備える。このヘッド４１は、キャリッジ３１に設けられているため、キャリッジ３１が移動方向に移動すると、ヘッド４１も移動方向に移動する。そして、ヘッド４１が移動方向に移動中にノズル４２からインクを断続的に噴射することによって、移動方向に沿ったドットライン（ラスタライン）が用紙Ｓに形成される。
【００１９】
図３は、ヘッド４１の下面であるノズル面４３における、ノズル４２の配列を示す説明図である。ノズル面４３にはブラックインクノズル群Ｋと、シアンインクノズル群Ｃと、マゼンタノズル群Ｍと、イエローノズル群Ｙが形成されている。各ノズル群は、各色のインクを噴射するための噴射口であるノズル４２を９０個備えている。
【００２０】
クリーニングユニット５０は、ヘッド４１をクリーニングするためのものである。このクリーニングユニット５０は、ノズル４２からインクが噴射された後等に、ノズル４２内のインクを吸引して排出する排出動作やヘッド４１のノズル面４３の拭き取り動作を、ホームポジションに位置するヘッド４１に対して実行する。クリーニングユニット５０の詳細については後述する。
【００２１】
＝＝＝クリーニングユニットについて＝＝＝
ここでは図４乃至図１０を用いて、クリーニングユニット５０の構成例について説明する。
【００２２】
図４は、クリーニングユニット５０の斜視模式図である。図５Ａ乃至図７は、拭き取り装置５６の斜視模式図である。図５Ａは、拭き取り装置５６が拭き取り動作を開始する前の拭き取り装置５６の様子を示した斜視模式図である。図５Ｂは、図５Ａにおける拭き取り装置５６のＢ−Ｂ断面図である。図５Ｃは、図５Ａにおける拭き取り装置５６の主要部品を分解した分解模式図である。図６は、拭き取り装置５６が拭き取り動作を実行する際の拭き取り装置５６の様子を示した斜視模式図である。図７は、拭き取り装置５６が清掃される際の拭き取り装置５６の様子を示した斜視模式図である。図８乃至図１０は、図５Ａ乃至図７の拭き取り装置５６の動作状態における、図４でのＡ′−Ａ′断面の拭き取り装置５６及び周辺部品の概略断面図である。
【００２３】
図４に示すように、クリーニングユニット５０は、クリーニングケース５１の内部に、キャップ装置５２と、拭き取り装置５６と、清掃装置５３０と、を有している。
【００２４】
キャップ装置５２は、ノズル４２の目詰まりの抑制等のために、ノズル４２内のインクを吸引して排出するためのものである。このキャップ装置５２は、キャップ５２ａと、不図示のポンプと、を有している。  
キャップ５２ａは、前記ノズル面４３に当接してノズル４２を封止するためのものである。このキャップ５２ａは、上下方向に昇降可能であり、上方位置に位置する際に、ノズル面４３に当接してノズル４２を封止した状態となり、下方位置に位置する際に、ノズル面４３から離間した状態となる。  
ポンプは、ノズル４２内のインクを吸引するためのものである。このポンプはキャップ５２ａがノズル４２を封止している状態で作動し、キャップ５２ａとノズル面４３とにより形成された閉空間内の空気を吸引する。このことにより、当該閉空間が負圧状態となり、ノズル４２内のインクが吸引されることとなる。
【００２５】
拭き取り装置５６は、ノズル面４３に付着した流体（インク）を拭き取るための装置である（以下、表現を簡易化するために、ノズル面４３に付着した流体（インク）を拭き取るという表現を、ノズル面４３を拭き取るという表現としている）。この拭き取り装置５６は、図５Ａ乃至図７に示すように、拭き取り部材５７と、支持ローラ５８と、本体フレーム５５と、負荷ピニオン６１と、を有する。
【００２６】
拭き取り部材５７は、前記用紙Ｓの前記搬送方向に移動しながら（つまり、拭き取り部材５７の移動方向は、用紙Ｓの搬送方向と同方向である）ノズル面４３を拭き取るゴム等の弾性部材である。この拭き取り部材５７は、図５Ａ及び図８に示すように、拭き取り動作の開始前には、ノズル面４３の搬送方向上流側端よりも上流の位置に、起立した状態で待機している（以下、当該位置を待機位置と呼ぶ）。そして、拭き取り動作が開始されると、拭き取り部材５７は、図６及び図９に示すように、ノズル面４３の搬送方向上流側端から下流側端までを拭き取る。  
また、拭き取り部材５７については、図７及び図１０に示すように、ノズル面４３の拭き取りが終了した後のさらなる搬送方向への移動により、その向きが変更し（より具体的には、起立していた状態が倒れた状態となる）、拭き取り部材５７は後述する清掃部材５３に接触する。このことにより、拭き取り部材５７は、清掃部材５３により清掃されることとなる。
【００２７】
支持ローラ５８は、拭き取り部材５７を支持し、後述する押圧部材６３や支持フレーム６５の押圧部分６５ａと協働して拭き取り部材５７の向きを変更させるためのものである。この支持ローラ５８は、図５Ｃ等に示すように、ローラ型の形状を成している。当該支持ローラ５８には、拭き取り部材５７が固定されており、支持ローラ５８は、拭き取り部材５７の搬送方向への移動に伴って移動する（図８乃至図１０）。  
また、支持ローラ５８は、図５Ｃに示すように、回動可能に後述する本体フレーム５５にピン５９で固定されている。そして、支持ローラ５８に前記押圧部材６３や押圧部分６５ａが接触すると、当該支持ローラ５８が回動し、当該支持ローラ５８の回動に伴って当該支持ローラ５８に固定された拭き取り部材５７の向きが変更するようになっている。
【００２８】
より具体的に説明すると、図９及び図１０に示すように、拭き取り部材５７（支持ローラ５８）が、ノズル面４３の拭き取り終了後、搬送方向へさらなる移動を行うと直に、支持ローラ５８（より具体的には、支持ローラ５８のアーム部分５８ａ）が、押圧部材６３に接触する。そして、アーム部分５８ａが押圧部材６３に接触した状態で、拭き取り部材５７（支持ローラ５８）がさらなる移動を行うことにより、支持ローラ５８が回動し、拭き取り部材５７の向きが変更されることとなる。本実施の形態においては、図１０に示すように、支持ローラ５８の当該回動により、拭き取り部材５７の姿勢が、起立した状態から倒れた状態となり、この状態で拭き取り部材５７が、清掃部材５３に接触し、清掃部材５３により清掃されることとなる。つまり、支持ローラ５８（より具体的には、支持ローラ５８のアーム部分５８ａ）及び押圧部材６３は、拭き取り部材５７によるノズル面４３の拭き取りが終了した後に、拭き取り部材５７の向きを、ノズル面４３を拭き取る時の向きから変更させることにより（起立していた拭き取り部材５７を倒して）、拭き取り部材５７を清掃部材５３に接触させて、該清掃部材５３に拭き取り部材５７を清掃させるための向き変更機構としての機能を発揮する。
【００２９】
また、拭き取り部材５７は、清掃部材５３により清掃された後に、前記搬送方向とは逆方向（以下、単に、逆方向と呼ぶ）に移動して前記待機位置に戻る（すなわち、図１０に示された状態から図８に示された状態に戻る）。そして、かかる際には、後述する負荷ピニオン６１の作用により（詳細については後述する）、拭き取り部材５７は倒れたままの状態で移動することになる。そして、拭き取り部材５７が待機位置に近づくと、拭き取り部材５７に伴って移動する支持ローラ５８（より具体的には、支持ローラ５８のアーム部分５８ａ）が、支持フレーム６５の押圧部分６５ａに接触することとなる。そして、アーム部分５８ａが押圧部分６５ａに接触した状態で、拭き取り部材５７（支持ローラ５８）がさらなる移動を行うことにより、支持ローラ５８が回動し、拭き取り部材５７の向きが変更されることとなる。最終的には、図８に示すように、前記待機位置において、拭き取り部材５７の姿勢が、起立した状態となる。
【００３０】
さらに、支持ローラ５８には、図５Ｃに示すように、ストッパー部分５８ｂが設けられている。このストッパー部分５８ｂは、拭き取り部材５７が、ノズル面４３に接触した状態で移動しながらノズル面４３を拭き取る際に、倒れないようにするためのものである。  
すなわち、ストッパー部分５８ｂは、拭き取り部材５７が起立した状態において後述する本体フレーム５５のストッパー部分５５ａと接触する位置に設けられており（図９参照）、かかる状態で、当該接触が、支持ローラ５８の、図９において時計回りの回動（すなわち、拭き取り部材５７が清掃される際の支持ローラ５８の回動とは反対方向の回動）を規制する。
【００３１】
図９から明らかなように、拭き取り部材５７がノズル面４３に接触した状態で移動すると、当該拭き取り部材５７が清掃される際に倒れる方向とは反対方向に当該拭き取り部材５７を倒す力（換言すれば、拭き取り部材５７が清掃される際の支持ローラ５８の回動とは反対方向に支持ローラ５８を回動させる力）が拭き取り部材５７に加わるが、ストッパー部分５５ａ、５８ｂの接触により、当該回動が規制されて拭き取り部材５７の倒れが防止されることとなる。
【００３２】
本体フレーム５５は、駆動機構（ギア、カム、モーター等からなる公知の機構。本実施の形態においては、ピニオン７１のみを図７乃至図１０において図示し、他については不図示）から駆動力を受けて、拭き取り部材５７（及び、拭き取り部材５７を支持する支持ローラ５８）を移動させるものである。この本体フレーム５５は、図５Ｂに示すように、クリーニングケース５１内に固定された支持フレーム６５とスライド可能に嵌合している。また、本体フレーム５５の底面はラック形状を成しており、図８乃至図１０に示すように、ラック形状がピニオン７１と歯合している。つまり、本体フレーム５５は、ラックピニオン機構により駆動機構から駆動力が伝達されると、搬送方向又は逆方向に移動（スライド）するようになっている。
【００３３】
そして、前述したとおり、本体フレーム５５は、拭き取り部材５７を支持する支持ローラ５８を支持するから、拭き取り部材５７（支持ローラ５８）と一体的に移動可能となっている。つまり、本体フレーム５５は、駆動機構（ピニオン７１）から駆動力を受けて、拭き取り部材５７（及び、拭き取り部材５７を支持する支持ローラ５８）を搬送方向又は逆方向に移動させる役割を果たす。
【００３４】
なお、図５Ｃに示すように、本体フレーム５５の搬送方向上流側端部はコの字形状となっており、当該搬送方向上流端部の底面に前述したストッパー部分５５ａが備えられている。また、当該搬送方向上流側端部に、前記支持ローラ５８や後述する負荷ピニオン６１も備えられている。  
また、図示及び詳しい説明は省略するが、本実施の形態において、前記駆動機構は、キャップ５２ａを昇降させるための駆動力をキャップ５２ａに与える機能も備えている。
【００３５】
負荷ピニオン６１は、支持ローラ５８や当該支持ローラ５８に支持された拭き取り部材５７に物体（前述した押圧部材６３、押圧部分６５ａ、ノズル面４３等）が接触していないときに、支持ローラ５８に支持された拭き取り部材５７の姿勢を維持させるためのものである。この負荷ピニオン６１は、図５Ｃに示すように、本体フレーム５５にピン６２で回動可能に固定されている。また、支持ローラ５８には、ギア部分５８ｃが備えられており、負荷ピニオン６１は、当該ギア部分５８ｃに歯合している。
【００３６】
かかる構成の負荷ピニオン６１は、支持ローラ５８を回動しにくくさせる機能を有する。つまり、負荷ピニオン６１が歯合した支持ローラ５８は、負荷ピニオン６１により回動負荷がかけられていることとなり、負荷ピニオン６１が存在しないときと比べて回りにくくなっている。そして、かかる負荷ピニオン６１の作用により、支持ローラ５８や当該支持ローラ５８に支持された拭き取り部材５７に前記物体が接触していないとき（例えば、拭き取り部材５７が待機位置に位置するとき、拭き取り部材５７が待機位置からノズル面４３に接触する位置へ移動するとき、拭き取り部材５７が逆方向に移動して待機位置に戻るときなど）には、支持ローラ５８は回動せず、したがって、拭き取り部材５７の姿勢、すなわち、起立した状態や倒れた状態、が維持されることとなる。
【００３７】
一方、支持ローラ５８が、押圧部材６３や押圧部分６５ａに接触する際には、負荷ピニオン６１は、支持ローラ５８の回動（拭き取り部材５７の姿勢の変更）を許容する。また、拭き取り部材５７がノズル面４３に接触する際には、前述したストッパー部分５５ａ、５８ｂが、支持ローラ５８の回動を規制する。
【００３８】
清掃装置５３０は、図８乃至図１０に示すように、清掃部材５３と流体収容部材５４を有する。  
拭き取り部材５７がノズル面４３の拭き取りを行うと、ノズル面４３に付着したインクが、拭き取り部材５７に移動する。拭き取り部材５７にインクが付着した状態では、次回にノズル面４３の拭き取りを行うと、拭き取り部材５７に付着したインクが、ノズル面４３に再び付着するなどし、拭き取り部材５７の拭き取り能力が低下する。
【００３９】
このことに鑑みて、拭き取り部材５７の拭き取り能力の回復を行うための清掃部材５３が設置されている。清掃部材５３は、一例としてスポンジのような材料で出来ており、拭き取り部材５７に付着したインクを吸収して内部に取り込むことで、拭き取り部材５７を清掃し、拭き取り部材５７の拭き取り能力を回復する。また、拭き取り部材５７については、前述したとおり、ノズル面４３の拭き取りが終了した後のさらなる搬送方向への移動により、その向きが変更し、拭き取り部材５７が、清掃部材５３に接触する。そして、かかる接触の際に、清掃部材５３は、拭き取り部材５７に付着したインクを吸収して内部に取り込むこととなる。
【００４０】
吸収されたインクは、清掃部材５３の内部に蓄積されていくが、清掃部材５３が吸収できるインクの容量は限られている。したがって、清掃部材５３が、繰り返して拭き取り部材５７の清掃を行うと、吸収できるインクの容量が一杯となってしまう。容量が一杯になると、清掃部材５３がインクを吸収することが出来ず、拭き取り部材５７の拭き取り能力が回復されなくなる。
【００４１】
このことに鑑みて、清掃部材５３が吸収できるインク容量を回復するための流体収容部材５４が設置されている。流体収容部材５４の材料は、清掃部材５３と同じである。また、流体収容部材５４は、図８乃至図１０に示すように、清掃部材５３の下方に該清掃部材５３に接して設置されている。清掃部材５３に吸収されたインクは、自重力などで清掃部材５３内部を下降し、流体収容部材５４へ移動する。
【００４２】
本実施の形態においては、清掃部材５３と流体収容部材５４をそれぞれ設置しているが、これに限定するものではない。例えば、清掃部材５３と流体収容部材５４を一体化して一つの大きな部材にしたり、流体収容部材に代わるものとして、清掃部材５３に管を通し、ポンプなどで管から吸収したインクを排出したりしてもよい。
【００４３】
＝＝＝クリーニングユニットの動作例について＝＝＝
ここでは、図８乃至図１１Ｃを用いて、クリーニングユニット５０の動作例について説明する。図１１Ａ乃至図１１Ｃは、クリーニングユニット５０の動作例を説明するためのフローチャートである。  
本フローチャートは、ヘッド４１が、ノズル４２からインクを噴射した後に、ホームポジションへ戻り、当該ホームポジションに位置しているときから始まる。このときに、キャップ５２ａは、下方位置（ノズル面４３から離間した位置）に、拭き取り部材５７は、待機位置に、それぞれ位置している。
【００４４】
先ず、クリーニングユニット５０は、ノズル４２内のインクを吸引して排出する排出動作を実行する（ステップＳ２）。  
図１２Ｂに示されるように、先ず、キャップ５２ａが、下方位置から上昇して上方位置へ至り、ノズル面４３に当接してノズル４２を封止する（ステップＳ２２）。そして、かかる封止状態で、ポンプが作動しノズル４２内のインクを吸引する（ステップＳ２４）。ポンプによるインクの吸引が終了したら、キャップ５２ａが、上方位置から下降してノズル面４３から離間した下方位置へ戻り（ステップＳ２６）、クリーニングユニット５０は、ノズル面４３を拭き取る拭き取り動作に備える。
【００４５】
次に、クリーニングユニット５０は、ノズル面４３を拭き取る拭き取り動作を実行する（ステップＳ４）。  
図１２Ｃ、図８、及び、図９に示されるように、先ず、待機位置に位置する起立した状態の拭き取り部材５７が、支持ローラ５８及び本体フレーム５５と一体的に搬送方向へ移動し始める。やがて、起立した状態の拭き取り部材５７は、ノズル面４３に接触し、ノズル面４３の拭き取りが開始される。そして、拭き取り部材５７は、図９にしめされるように、ノズル面４３の方を向いて起立し、かつ、該ノズル面４３に接触した状態で、前記搬送方向に移動しながら、前記ノズル面４３の搬送方向上流側端から下流側端までを拭き取る（ステップＳ４２）。
【００４６】
図９及び図１０に示されるように、ノズル面４３の拭き取りが終了した後に、拭き取り部材５７が、さらなる搬送方向への移動を行うと、前述した向き変更機構の作用により、拭き取り部材５７の向きが変更し（起立していた状態が倒れた状態となる）、拭き取り部材５７は清掃部材５３に接触する。このことにより、拭き取り部材５７は、清掃部材５３により清掃されることとなる（ステップＳ４４）。
【００４７】
拭き取り部材５７の清掃が終了した後に、拭き取り部材５７は、支持ローラ５８及び本体フレーム５５と一体的に逆方向へ移動し始める。拭き取り部材５７は、負荷ピニオン６１の作用により倒れたままの状態で、ノズル面４３に接触することなく移動する。そして、拭き取り部材５７が待機位置に近づくと、支持ローラ５８のアーム部分５８ａ及び支持フレーム６５の押圧部分６５ａの作用により、拭き取り部材５７がノズル面４３に接触することなく該拭き取り部材５７の向きが変更し（倒れていた状態が起立した状態となる）、最終的には、拭き取り部材５７は、起立した状態で待機位置に戻ることとなる（ステップＳ４６）。
【００４８】
ステップＳ４２〜Ｓ４６の動作を、ヘッドを移動方向へ繰り返し移動させつつ、ノズル列の数だけ繰り返して、拭き取り動作は完了する。
【００４９】
＝＝＝本実施の形態に係るプリンタ１の有効性について＝＝＝
本実施の形態に係るプリンタ１は、ノズル４２を備え、該ノズル４２からインクを噴射するヘッド４１と、該ヘッド４１のノズル面４３を拭き取るための拭き取り部材５７と、前記ノズル面４３を拭き取った前記拭き取り部材５７を清掃するための清掃部材５３と、前記拭き取り部材５７の向きを、前記ノズル面４３を拭き取るときの向きから変更させることにより、前記拭き取り部材５７を前記清掃部材５３に接触させて、該清掃部材５３に前記拭き取り部材５７を清掃させるための向き変更機構と、を有している。このことにより、拭き取り部材５７の移動距離を短縮することが出来る。
【００５０】
すなわち、拭き取り部材の清掃として、発明が解決しようとする課題の項で説明したように、従来は、拭き取り部材がノズル面を拭き取った後に、拭き取り部材が上方に位置する清掃部材に接触し、拭き取り部材が清掃部材に接触した状態で、さらに拭き取り部材が搬送方法へ移動することによって、拭き取り部材の清掃が行われていた。かかる清掃方法には、以下の問題があった。
【００５１】
すなわち、かかる清掃方法が実行されるには、拭き取り部材が、清掃部材に接触しながら移動する必要がある。そのため、拭き取り部材の移動距離が長くなってしまう。移動距離が長くなると、移動距離を確保するスペースが必要となり、スペースの確保を行うと、プリンタ本体のサイズが大きくなる等の問題も生じ得る。
【００５２】
このことに鑑みて、本実施の形態に係る拭き取り部材５７は、回動可能な支持ローラ５８に固定されている。拭き取り部材５７がノズル面４３を拭き取り終わると直ぐに、押圧部材６３と支持ローラ５８のアーム部分５８ａが接触する。押圧部材６３とアーム部分５８ａが接触した状態で、拭き取り装置５６が搬送方向へさらに移動することにより支持ローラ５８が回動して、拭き取り部材５７の向きが変更される。拭き取り部材５７の変更された向きに清掃部材５３が配置されているため、拭き取り部材５７は、清掃部材に接触し、拭き取ったインクが吸収されて、清掃される。したがって、拭き取り部材が清掃されるための搬送方向への移動距離が大幅に短縮化される。
【００５３】
また、従来は、清掃部材を拭き取り部材の上方に位置させる必要があるが、ヘッドが設けられたキャリッジが上方に存在するので、清掃部材は、拭き取り部材がヘッドを拭き取った後に接触できる位置にしか配置できない（形状も、スペースを活用できる形状に限定される）。これに対し、本実施の形態においては、拭き取り部材５７の変更される向きには、スペースを限定するものが存在しないため、清掃部材５３の配置、及び、形状の規制が緩和される。
【００５４】
また、清掃部材のインク吸収容量が一杯になると、インクの吸収が出来なくなり、清掃が適切に行われなくなる。前記清掃部材の吸収したインクを再び収容する流体収容部材が設置されているが、従来のように、前述したスペースの問題に起因して、前記清掃部材と前記流体収容部材が離れて設置されなければならないとすると、前記清掃部材内に蓄積されたインクを移動させるために、前記清掃部材を、パイプなどで前記流体収容部材に接続しなければならない。これに対し、本実施の形態においては、清掃部材５３と流体収容部材５４とを接触させることができ、インクを移動させるための部品が必要なくなる。
【００５５】
＝＝＝その他の実施の形態＝＝＝
以上、上記実施の形態に基づき本発明に係る流体噴射装置を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００５６】
また、上記実施の形態においては、流体噴射装置の一例としてインクジェットプリンタについて説明したが、これに限定されるものではなく、インク以外の他の流体（液体や、機能材料の粒子が分散されている液状態、ジェルのような流状態、流体として流して吐出することができる固体を含む）を噴射したり吐出したりする流体噴射装置に具現化することもできる。例えば、液晶ディスプレイ、ＥＬ（エレクトロルミネッセンス）ディスプレイ及び面発光ディスプレイなどの製造に用いられる電極材や色材などの材料を分散または溶解のかたちで含む液状体を噴射する液状体噴射装置、バイオチップ製造に用いられる生体有機物を噴射する液体噴射装置、精密ピペットとして用いられ試料となる液体を噴射する液体噴射装置であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、ジェルを噴射する流体噴射装置、トナーなどの粉体を例とする固体を噴射する粉体噴射式記録装置であってもよい。または、自動車内装及び外装や携帯電話、家電の外装に用いられる樹脂部品を塗装するための着色材料やコーティング材料を噴射する液体噴射装置、樹脂材料の成型時に溶かされた樹脂流体を噴射する流体噴射装置であってもよい。そして、これらのうちいずれか一種の噴射装置に本発明を適用することができる。
【００５７】
また、上記の実施の形態においては、ヘッドとして、シリアルヘッドを用い、ノズルの配列として、カラー印刷と白黒印刷で使用するノズルが共用であるプリンタのノズル配列を示したが、これに限定されるものではない。例えば、カラー印刷と白黒印刷で使用するノズル列が異なっており、上記実施の形態のノズル列に白黒印刷用にブラックインクノズル群が追加されたノズルであってもよい。または、紙幅分のドットを一度に形成するラインヘッドであってもよい。
【００５８】
また、上記の実施の形態においては、ノズル面４３における各ノズル列の拭き取りを、一つの拭き取り装置がノズル列ごとに拭き取っているが、これに限定されるものではない。すべてのノズル列を拭ける大きさの拭き取り装置を設置したりしてもよい。
【００５９】
また、上記の実施の形態において、拭き取り部材５７がノズル面４３を拭き取った後直に、支持ローラ５８のアーム部分５８ａと押圧部材６３が接触する。そして、アーム部分５８ａが押圧部材６３に接触した状態で、拭き取り部材（支持ローラ５８）が搬送方向へ移動することにより、支持ローラ５８が回動し、拭き取り部材５７の向きを変更することとしたが、これに限定されるものではない。例えば、支持ローラ５８の回動を制御するために、モーターや、ギア、カム等を設置して、別動力により回動するようにして向きを変更させてもよい。  
ただし、部品点数が増えることと、構造が複雑になることと、拭き取り部材５７や支持ローラ５８を含む本体フレーム５５に部品が追加となるため、本体フレーム５５の耐荷重性が弱くなる点で、上記の実施の形態の方がより望ましい。
【００６０】
また、上記の実施の形態において、拭き取り部材５７の向きが変更された位置に清掃部材５３が備えられているが、拭き取り部材５７の向きを変更するのはあくまでも清掃部材５３に接触させるためであるので、拭き取り部材５７の変更角度に合わせて、接触するように清掃部材５３の位置調整及び、形状を変更しても構わない。例えば、拭き取り部材５７がノズル面４３を拭き取った向きから４５度変更するのであれば、その角度で接触する位置に清掃部材５３を配置し、かつ、拭き取り部材５７のインクが付着した部分が接触できるように清掃部材５３の接触面に傾斜をつけてもよい。
【００６１】
また、上記の実施の形態においては、かかる清掃部材として、清掃部材５３を例に挙げて説明したが、これに限定されるものではなく、例えば、以下に説明するローラ型清掃部材５３１であったり、又は、弾性型清掃部（弾性部材を伴う清掃部）５４１であったりしてもよい。
【００６２】
図１２Ａは、図１０に対応した図であり、ローラ型清掃部材５３１を説明するための説明図である。ローラ型清掃部材５３１の本体は清掃部材５３と同じくインクを吸収できる素材で出来ている。このローラ型清掃部材５３１は、前記清掃部材５３と同様に、拭き取り部材５７がノズル面４３を拭き取った後、拭き取り部材５７の向きがノズル面４３の方を向いた向きから変更された際に拭き取り部材５７が接触できる位置に備えられ、且つ、回動可能に、ピン５３２でクリーニングケース５１に備えられている。
【００６３】
すなわち、拭き取り部材５７の向きが変更されて、拭き取り部材５７がローラ型清掃部材５３１に接触すると、当該接触の際に発生する拭き取り部材５７のローラ型清掃部材５３１に対する押圧力によって、図１２Ｂの矢印の方向へ、ローラ型清掃部材５３１が回動することとなる。
【００６４】
かかる、ローラ型清掃部材５３１は、該ローラ型清掃部材５３１が回動することにより前記押圧力を逃がすことで、前記両部材の接触によって該両部材が磨耗することを防ぐ。また、ローラ型清掃部材５３１が拭き取り部材５７と接触する度に回動するので、前回清掃したときにインクが付着した箇所ではなく、インクが付着していない箇所にて接触し清掃することが可能となる。
【００６５】
図１３Ａは、図１０に対応した図であり、弾性型清掃部５４１を説明するための説明図である。弾性型清掃部５４１は、清掃部材５３と同じ材質で出来た清掃部材５３３と、弾性性能を持つ弾性部材５３４と、を備えることを特徴とする。この弾性型清掃部５４１は、前記清掃部材５３と同様に、拭き取り部材５７がノズル面４３を拭き取った後、拭き取り部材５７の向きがノズル面４３の方を向いた向きから変更された際に拭き取り部材５７が接触できる位置に備えられている。
【００６６】
すなわち、拭き取り部材５７の向きが変更され、拭き取り部材５７が清掃部材５３３に接触すると、当該接触の際に発生する拭き取り部材５７の清掃部材５３３に対する押圧力により、弾性部材５３４が弾性変形して、清掃部材５３３が、前記弾性変形の変形量分、下方向に移動することとなる（図１３Ｂ）。
【００６７】
かかる、弾性型清掃部５４１は、該弾性型清掃部５４１の弾性部材５３４が弾性変形することにより、拭き取り部材５７の押圧力を吸収し、前記両部材の接触によって該両部材が磨耗することを防ぐ。
【００６８】
また、上記の実施の形態における弾性型清掃部５４１において、拭き取り部材５７の押圧力を吸収する部材として、弾性部材５３４を例に挙げて説明したが、これに代わるものとして、バネ性を有するバネ部材を用いてもよい。
【図面の簡単な説明】
【００６９】
【図１】本実施形態のプリンタ１のブロック図である。
【図２】図２Ａは、プリンタ１の斜視図の一部である。また、図２Ｂは、プリンタ１の断面図の一部である。
【図３】ヘッドの下面であるノズル面におけるノズルの配列を示す説明図である。
【図４】クリーニングユニット５０の斜視模式図である。
【図５】図５Ａは、拭き取り装置５６が拭き取り動作を開始する前の拭き取り装置５６の様子を示した斜視模式図である。また、図５Ｂは、図５Ａにおける拭き取り装置５６のＢ−Ｂ断面図である。そして、図５Ｃは、図５Ａにおける拭き取り装置５６の主要部品を分解した分解模式図である。
【図６】拭き取り装置５６が拭き取り動作を実行する際の拭き取り装置５６の様子を示した斜視模式図である。
【図７】拭き取り装置５６が清掃される際の拭き取り装置５６の様子を示した斜視模式図である。
【図８】拭き取り装置５６が拭き取り動作を開始する前の図４でのＡ′−Ａ′断面の拭き取り装置５６及び周辺部品の概略断面図である。
【図９】拭き取り装置５６が拭き取り動作を実行する際の図４でのＡ′−Ａ′断面の拭き取り装置５６及び周辺部品の概略断面図である。
【図１０】拭き取り装置５６が清掃される際の図４でのＡ′−Ａ′断面の拭き取り装置５６及び周辺部品の概略断面図である。
【図１１】図１１Ａは、クリーニングユニットの動作例を示すフローチャート図である。また、図１１Ｂは、キャップ装置５２の排出動作例を示すフローチャート図である。そして、図１１Ｃは、拭き取り装置５６の拭き取り動作例を示すフローチャート図である。
【図１２】図１２Ａは、図１０に対応した図であり、ローラ型清掃部材５３１を説明するための説明図である。また、図１２Ｂは、拭き取り部材５７がローラ型清掃部材５３１に接触した際に発生する拭き取り部材５７のローラ型清掃部材５３１に対する押圧力により、ローラ型清掃部材が回動した際の主要部品の概略断面図である。
【図１３】図１３Ａは、図１０に対応した図であり、弾性型清掃部５４１を説明するための説明図である。また、図１３Ｂは、拭き取り部材５７が清掃部材５３３に接触した際に発生する拭き取り部材５７の清掃部材５３３に対する押圧力により、弾性部材５３４が変形して清掃部材５３３が移動した際の主要部品の概略断面図である。
【符号の説明】
【００７０】
１  プリンタ、２０  搬送ユニット、２１  給紙ローラ、
２２  搬送ローラ、２３  排紙ローラ、３０  キャリッジユニット、
３１  キャリッジ、３２  キャリッジモータ、４０  ヘッドユニット、
４１  ヘッド、４２  ノズル、４３  ノズル面、
５０  クリーニングユニット、５１  クリーニングケース、５２  キャップ装置、
５２ａ  キャップ、５３  清掃部材、５４  流体収容部材、
５５  本体フレーム、５５ａ  ストッパー部分、５６  拭き取り装置、
５７  拭き取り部材、５８  支持ローラ、５８ａ  アーム部分、
５８ｂ  ストッパー部分、５８ｃ  ギア部分、５９  ピン、
６１  負荷ピニオン、６２  ピン、６３  押圧部材、
６５  支持フレーム、６５ａ  押圧部分、７０  検出器群、
７１  ピニオン、１１０  コンピュータ、５３０  清掃装置、
５３１  ローラ型清掃部材、５３２  ピン、５３３  清掃部材、
５３４  弾性部材、５４１  弾性型清掃部
【図１】
2010012722.tif 000003
【図２】
2010012722.tif 000004
【図３】
2010012722.tif 000005
【図４】
2010012722.tif 000006
【図５】
2010012722.tif 000007
【図６】
2010012722.tif 000008
【図７】
2010012722.tif 000009
【図８】
2010012722.tif 000010
【図９】
2010012722.tif 000011
【図１０】
2010012722.tif 000012
【図１１】
2010012722.tif 000013
【図１２】
2010012722.tif 000014
【図１３】
2010012722.tif 000015